(57)【要約】【課題】取り付けが簡単に行え、多目的に利用でき、軽量小型で携帯に便利なパイプ連結支持具を提供する。【解決手段】パイプ連結支持具１は、パイプ１８の外周に接し且つパイプ１８の断面を上下対称に２分する平面で２分された内周を有する保持部４，５と、該保持部の両端から前記平面に沿ってそれぞれ外方に突出する締め付け部６，７とを有し、保持部４，５の周方向中央にはパイプ中心に向け内外周を貫通する連結用ネジ孔１４を設けた上下対称の１対の部材を形成し、前記一方の部材の締め付け部６には保持部中心から対称位置に締め付け部を上下に貫通する円形孔８を設け、且つ他方の部材の締め付け部７には円形孔８と対峙する位置に同方向にネジ孔９を設けた１対の保持具２，３で構成する。連結用ネジ孔１４はパイプ同士の連結手段などし、連結ネジ孔部は外側に膨出する厚肉構造にするとよい。【選択図】        図１
2004293693.tif 000002
【特許請求の範囲】
【請求項１】
断面円形のパイプの外周に接し且つ該パイプの中心軸線に直交する断面を上下対称に２分する平面で２分された内周を有する保持部と、該保持部の両端から前記平面に沿ってそれぞれ外方に突出する締め付け部とを有し、前記保持部の周方向中央にはパイプ中心に向け内外周を貫通する連結用ネジ孔を設けてなる上下対称の１対の部材を形成するとともに、前記一方の部材の締め付け部にはそれぞれ保持部中心から対称位置に締め付け部を上下垂直に貫通する円形孔を設け、且つ他方の部材の締め付け部には前記円形孔と同じ位置にそれぞれ締め付け部に垂直のネジ孔を設けた構造からなる１対の保持具、および前記保持具の締め付け部に装着して保持具同士を締め付ける１対の締め付けボルトからなるパイプ連結支持具。
【請求項２】
保持部外周の連結用ネジ孔部が外側に膨出して厚肉に形成されてなる、請求項１記載のパイプ連結支持具。
【請求項３】
前記他方の保持具部材の締め付け部には、前記一方の保持具部材の締め付け部に貫通形成した円形孔に対峙する位置に該円形孔とほぼ同じ円形孔を垂直に貫通形成してなる、請求項１または２に記載のパイプ連結支持具。
【発明の詳細な説明】
【０００１】
【発明の属する技術分野】
本発明は、パイプの連結支持具の技術に係わり、更に詳しくは、ケーブル挿通用配管や流体移送用配管などの単独配管や集合配管を保持し或いは互いに連結保持し壁面等に固定する配管支持部材、或いは、パイプに機材を取り付ける取付部材として用いたり、また、建設用足場などパイプ材で構築する構造物のパイプ連結具などに用いるパイプの連結支持具の構造に関する。
【０００２】
【従来の技術】
ケーブル挿通用配管や流体移送用配管などの単管や集合配管を支持固定する支持部材としては、開口部を有するＣ形の環状保持部材の前記開口部を上方にした左右両側面またはその一方にネジ機構で構成する連結手段または雄ネジか雌ネジのいずれかからなる固定手段を形成し、或いは前記開口部と対角位置の外側面に雄ネジか雌ネジのいずれかからなる固定手段を形成し、集合配管を互いに所定の間隔を保った状態で連結支持したり或いは壁面等に支持固定することを可能にした保持具が知られている（例えば、特許文献１参照。）。この保持具は、パイプや丸棒などの保持対象物をＣ形保持具の開口部から挿入して保持するもので、保持部材は合成樹脂などの可撓性材料で成形され、装着が容易であるが保持力が小さいので鋼管などの重量物を保持するには適していない。
【０００３】
また、建設用足場などパイプ材で構築する構造物のパイプ連結部などに用いるパイプ連結支持具としては、筒状の保持部の外周面の対角位置に外周面から膨出する突出部を形成し該突出部には一方に雄ネジを突出形成し且つ他方には前記雄ネジに螺合し且つ筒部を貫通するネジ孔を形成して形成された連結金具が知られている（例えば、特許文献２参照。）。この連結金具は、金属製で足場パイプなどの交差部の連結に十分な強度を有する。しかしこの連結金具は、筒状のパイプ保持部が閉じた一体構造のため、例えば流体配管を支持固定する場合は配管を接続する前に必要数の連結具を装着しておく必要があり、且つフランジのある配管には取り付け不可能である。また本来の用途の足場などの構造物の組み立てに用いる場合も事前にパイプ端部から必要数の連結具を装着しておく必要があり、後で追加装着することができない。また、大きさが大きく且つ重く高所での足場組み立て作業などで多数を携帯するには不便である。更に、雄ネジやネジ孔の加工に手間がかかり製造コストも高い。
【０００４】
一方、これとは別に、保持部を半円状の２個の部材で形成し且つ互いの部材の一端を蝶着部材で連結して他端側を開閉可能で且つボルトで締め付け可能に構成した管継手金具の開閉装置が知られている（例えば、特許文献３参照）。この管継手金具の開閉装置は開閉可能な構造にしているのであとで適宜の場所に装着でき、組み立て前のパイプに予め所要数を装着しておく必要はない。しかし、直交連結部に用いる携帯であり、それ以外の任意の角度でパイプを連結する事は配慮されていない。またこの管継手金具の開閉装置は、構造が複雑で製造コストが高くなる。
【０００５】
【特許文献１】
特開昭５０−５５７４９号公報（第６図〜第８図）
【特許文献２】
実開昭５８−２７４４２号公報（第１図〜第７図）
【特許文献３】
実公昭３８−１７０５５号公報（第１図、第２図）
【０００６】
【発明が解決しようとする課題】
前述の状況に鑑み本発明が解決しようとする課題は、配管を保持して壁面の固定壁や支持部材等に固定する配管支持部材として用いる場合は、配管接続後に適宜の場所に装着保持して固定でき、フランジのある配管にも装着ができ、また集合配管の互いの配管同士を連結して壁面等に支持することも可能で、取付時に微調整ができ、或いは、建設用足場などパイプ材で構築する構造物のパイプ連結具として用いる場合は、パイプ構造物の組立前に予め必要数を仮装着しておくといった手間が不要で、適宜の場所に随意に装着してパイプ同士の連結ができるとともに滑り止め機能も備え、更に、パイプ構造物に制御機器やセンサーなどの機材を支持することにも利用でき、軽量で携帯に便利で且つ強固で、多用途に利用でき製造が容易で低価格で提供できる、などの特長を備えたパイプ連結支持具を提供する点にある。
【０００７】
【課題を解決するための手段】
前述の課題解決のため、本発明のパイプ連結支持具は、断面円形のパイプの外周に接し且つ該パイプの中心軸線に直交する断面を上下対称に２分する平面で２分された内周を有する保持部と、該保持部の両端から前記平面に沿ってそれぞれ外方に突出する締め付け部とを有し、前記保持部の周方向中央にはパイプ中心に向け内外周を貫通する連結用ネジ孔を設けてなる上下対称の１対の部材を形成するとともに、前記一方の部材の締め付け部にはそれぞれ保持部中心から対称位置に締め付け部を上下垂直に貫通する円形孔を設け、且つ他方の部材の締め付け部には前記円形孔と同じ位置にそれぞれ締め付け部に垂直にネジ孔を設けた構造からなる１対の保持具、および前記保持具の締め付け部に装着して保持具同士を締め付ける１対の締め付けボルトで構成する。前記保持具は、保持部外周の連結用ネジ孔部を外側に膨出して厚肉に形成するとよい。なお、前記パイプ連結支持具は、保持部にパイプを挟持した保持具同士の一方の保持具の締め付け部の円形孔から他方の保持具のネジ孔に締め付けボルトを装着螺合させて保持具同士を締め付ける構成で、前記ネジ孔は締め付け部を貫通する必要はない。これに代えて、他方の保持具の締め付け部のネジ孔を一方の保持具と同じ貫通円形孔とし、締め付け部はボルトを挿通してナットで保持具同士を締め付ける構成にしてもよい。
【０００８】
前記の連結用ネジ孔は、連結部材を装着螺合させて他のパイプ連結支持具と連結する連結手段としたり、ボルトを装着して支持部材に固定する支持手段としたり、或いはボルトを装着してその先端を保持部に保持したパイプに強く当接させてパイプの滑り止めを行う手段とする。
【０００９】
【発明の実施の形態】
つぎに本発明の実施の形態を添付図面に基づき詳細に説明するが、本発明は、添付図面に示された形態に限定されず特許請求の範囲に記載の要件を満たす実施形態の全てを含むものである。図１は、本発明に係るパイプ連結支持具の各構成部材を展開して示す斜視図である。図２は本発明に係るパイプ連結支持具の実施例の正面図を示し、図３はその中央縦断面図を示す。図４および図５は、図２のパイプ連結支持具の平面および側面をそれぞれ示す図である。そして、図７には本発明に係るパイプ連結支持具を集合配管の連結支持に用いた適用例を示している。
【００１０】
図において、パイプ連結支持具１は、断面が円形のパイプ１８（図７に示すパイプ連結支持具１の取り付け状態図を参照（以下同様）。）の外周に接する環状部材がパイプ１８の中心軸を通る平面で２分割され、且つその各々の分割片には、半円弧部両端の外側面から前記分割平面に沿って半径方向外方に突出する水平の締め付け部６，６および７，７をそれぞれ設けたほぼ対称の１対の保持具２，３を有してなり、各保持具２，３の半円弧状内周、即ちパイプの保持部４，５でパイプ１８を挟持し、互いに対面する締め付け部６，７にそれぞれ垂直に貫通形成されたボルト装着穴８，９に締め付けボルト１５，１５を装着して互いを締め付けてパイプ１８を保持する構造となし、且つ、各保持具２，３にはそれぞれ、保持部４，５の円弧に沿う中央部にパイプ１８の中心に向けて貫通する連結用ネジ孔１４，１４を設ける。そして連結用ネジ孔１４には、該ネジ孔に螺合するネジ部が両端に形成された寸切りボルトなどの連結部材（後述の符号１６）を装着して該連結部材１６の他端に他のパイプ連結支持具１を連結してパイプを連結したり、或いはボルトを装着して図示しないブラケットなど適宜の支持部材に固定支持し、または機材取付用ブラケットなどを取り付けることができる。
【００１１】
つぎに、上記パイプ連結支持具１の構成部材の構造を詳しく説明する。まず、一方の保持具２は、半円形内周を有する保持部４と、保持部４の両端からそれぞれ半径方向外側に水平に突出する１対の締め付け部６，６とを有し、且つ保持部４の半円弧の環状部に沿う中間部には保持部内周に接する円（即ちパイプ１８）の中心に向けて貫通する連結用ネジ孔１４を形成して構成する。そして他方の保持具３は、半円形内周を有する保持部５と、保持部５の両端からそれぞれ半径方向外側に水平に突出する１対の締め付け部７，７とを有し、且つ保持部５の半円弧の環状部に沿う中間部には保持部内周に接する円（即ちパイプ１８）の中心に向けて貫通する連結用ネジ孔１４を形成して構成する。そして一方の保持具４の締め付け部６，６には、保持部４の中心から等距離位置にそれぞれ締め付け部６，６の水平端面、即ち合わせ面６ａ，６ａと略直交方向に円形孔８，８を貫通形成する。また、他方の保持具５の締め付け部７，７には、前記一方の保持具４の円形孔８，８に対峙する同じ位置にそれぞれ締め付け部７，７の水平端面、即ち合わせ面７ａ，７ａと略直交方向にネジ孔９，９を貫通形成する。
【００１２】
なお、図示の保持具２，３は、保持部４，５の外周１１，１１をそれぞれ保持具４，５の内周に沿う略円弧状に形成し、且つ連結用ネジ孔１４，１４の部分には外周１１から外側に膨出する厚肉の膨出部１３，１３を設け、連結用ネジ孔１４，１４のネジ部の長さを長く確保している。該膨出部１３の外端は、連結用ネジ孔１４と直交する平面状に形成する。この連結ネジ孔１４の外端面は後述のロックナット（図７における符号１７の部材）の端面が当接する座面となる。連結用ネジ孔１４，１４は、そこに連結部材を装着してパイプ同士を連結したり支持部材にボルトで固定する手段とするので、強度確保のためある程度ネジ部が長い方が都合がよい。そのため膨出部１３，１３の厚さは、ネジの直径とほぼ同等かそれ以上にするのが好ましい。また、締め付けボルト１５については、図示のボルトのほか、たとえば六角ボルトや六角穴付きボルトなど適宜のボルトを用いてよい。
【００１３】
つぎに、上記１対の保持具２，３のパイプ１８への取付方法を説明する。保持具２，３の保持部４，５でパイプ１８の外周を挟持し、一方の保持具２の締め付け部６，６の円形孔８，８側から締め付けボルト１５，１５を装着し、このボルトを他方の保持具３の締め付け部７，７のネジ孔９，９側に螺合させて両部材２，３を締め付けてパイプ１８を保持する。
【００１４】
なお、たとえば集合配管（図７における符号２０）の中間部を支持する場合には、前記作業に先だって、保持具２または３のいずれか一方（例えば保持具３）の連結用ネジ孔１４に両端にネジ部が形成された連結部材１６（図７参照）の一端を装着するとともに、この連結部材１６の他端に他の配管を保持する他のパイプ連結支持具１の一方の保持具（例えば保持具２）の連結用ネジ孔１４を螺合させ仮組立しておくと都合がよい。連結部材１６の両端に仮組立で取り付けた１対の保持具３，２を、集合配管の管と管の間に挿入してその保持具３，２の保持部５，４に配管１８，１８をそれぞれ接しさせ、この配管１８をその配管の反対側から接する相手側の保持具２，３とで挟持して互いの締め付け部６，７を締め付けボルト１５で締め付けて配管１８を保持し、これを順次繰り返して互いの配管１８，１８同士を連結支持する。
【００１５】
連結部材１６（図７参照）には前記両端のネジ部に、保持具取付前に予めロックナット１７，１７（図７参照）を装着しておき、パイプ連結支持具１，１同士を連結した後にロックナット１７，１７を回転してその端面を保持具２，３の膨出部１３の端面即ち座面に強く当接させる。これによって、連結部材１６が回転して弛まないようにロックさせることができる。
【００１６】
以上の要領で並列配置した複数の配管を互いに連結支持する。そして最後にその連結部材１６を壁などの固定部に支持するか或いは外側の空いている保持具２または３の連結用ネジ孔１４に連結部材１６と同様の基本構造を有する支持部材２２（図７参照）を装着し、天井や床面などに支持固定する。或いはまた、保持具２または３のいずれか一方の例えば保持具３の連結用ネジ孔１４部を、ボルトで図示しないブラケットに支持固定してもよい。
【００１７】
つぎに連結部材１６および支持部材２２について説明する。連結部材１６や支持部材２２は、長寸のねじ棒を切断して形成した通称寸切ボルトと称されるボルトなどを用いてもよいが、適宜の棒状部材端に保持具の連結用ネジ孔に螺合するネジ部を形成した部材でもよい。また、連結部材１６や支持部材２２は、中間部に対向平行面など適宜のレンチ係合部を設けると、取り付け、締め付け、増し締め、取り外しなどの作業時にレンチで回転可能となり便利である。更に、連結部材１６や支持部材２２は、両端のネジ部を互いに逆ネジに形成するとともに、これに対応して、保持具２と保持具３の連結用ネジ孔１４をそれぞれ互いに逆ネジに形成する。このように逆ネジにした場合、集合配管の連結保持の際に、一方向の回転操作で連結配管同士を互いに引き寄せたり押し広げたりすることが可能となり操作性を向上させることができる。
【００１８】
また、パイプ構造物の構築或いはそれらの構造物に機材を取り付ける等の目的で配管や足場パイプやガードレールなどのパイプを上記の要領で保持し或いは連結する場合、保持具２または３の連結用ネジ孔１４に装着した連結部材１６や固定用ボルト（図示しない）の先端を保持具（２または３）の内周（４または５）から僅かに突出するように締め込むと、その先端部がパイプ外周に強く当接して保持したパイプの滑り止め機能として作用させることが可能である。
【００１９】
つぎに、図６には本発明に係るパイプ連結支持具別の実施例を示す。図６に示すパイプ連結支持具別１ａは、下方の保持具３ａが上記の実施例における保持具３とは若干異なる。即ちパイプ連結支持具１ａの下方保持具３ａは、前述の実施例における保持具３の締め付け部７，７のネジ孔９，９を上方の保持具２の円形孔８と同じ円形孔９ａ，９ａに代えている。従って、締め付け部６，６，７，７にはそれぞれ六角ボルト１５ａ（または六角穴付きボルト）を挿通してナット１５ｂで両方の保持具２，３を締め付ける。
【００２０】
つぎに、本発明に係るパイプ連結支持具の適用例について説明する。図７は、流体移送用配管やケーブル挿通用配管などの集合配管２０の連結支持に本発明に係るパイプ連結支持具１を用いて配管同士を連結支持する場合の例を示している。この図においては、壁面に沿って配管された集合配管２０の適宜の中間部に、パイプ連結支持具１を前述説明の要領で各パイプ１８に装着し、パイプ連結支持具１を上下一直線の配列で且つ隣り合ったパイプ連結支持具同士を連結部材１６で連結し、予め連結部材１６に装着しておいたロックナット１７を回転して保持具２，３に当接させて回転止めをして連結支持している。そして、上端のパイプ連結支持具１と天井に取り付けた固定金具２１とを支持部材２３で垂直に連結支持するとともに、集合配管２０の下方の連結部材１６を側壁に取り付けた固定金具２１に対し支持部材２２を介して支持し、水平方向の揺れを規制している。
【００２１】
上記において、固定金具２１は、それぞれ取付ボルト穴が貫通形成されたベース板２１ａの中央に垂直にソケット２１ｂを設けた部材からなり、該固定金具２１を天井や壁面にボルトで取り付けるとともに、ソケット２１ｂには支持部材２２，２３の端部を連結可能なネジ穴が形成されている。支持部材２２は、ロッド２２ａの先端に連結部材１６を把持する把持部２２ｃを有し、全長に亘るネジ部２２ｂを設けてなる。支持部材２３は連結部材１６を長寸にしたものと同様、ロッド２３ａの両端にネジ部２３ｂを設けてなる。なお、支持部材２２のネジ部２２ｂと支持部材２３のネジ部２３ｂには、連結部材１６の両端部の取り付けと同様にそれぞれロックナット１７を装着して固定金具２１のソケット２１ａの端部に当接させ互いの回転を規制するようにロックする（但し図７ではこのロックナットは省略している）。
【００２２】
【発明の効果】
以上にしてなる請求項１に係る発明のパイプ連結支持具は、保持具がそれぞれ両端に締め付け部を有し、互いに対面させて重ねると閉じたパイプ保持部が形成され、且つ各部材の内周面に沿う中央部に前記保持部の中心に向けて貫通する連結用ネジ孔を形成してなるほぼ対称の１対の保持具で構成し、この保持具の保持部にパイプを挟持し、締め付け部をボルトで締め付けてパイプを保持するとともに、連結用ネジ孔には寸切ボルトなどの連結部材をねじ込んで隣接パイプと連結し、或いは壁などの固定支持部材にボルトなどで支持固定する構造にした。そのため、以下のような作用効果がある。即ち、保持具を２つの独立部材で構成したので、例えば集合配管を連結保持する際に、個別に任意に回転して互いの距離を調整して装着可能である。そして、ケーブル挿通用配管や流体移送用配管などは配管接続後に適宜の場所に装着してパイプを保持し固定することができ、フランジのある配管にも装着ができ、また連結用ネジ孔に寸切ボルトなどの連結部材を装着すると集合配管の互いの配管同士を連結して互いの間隔を調整するとともに、集合配管連結部の端部保持具の連結用ネジ孔に支持部材等をねじ込んでこの集合配管を壁面などの固定部に支持したり、或いは配管同士を連結する連結部材を支持部材で保持して壁面等に支持することも可能である。或いは、パイプ材で足場などの構造物を構築する際に予め必要数を仮装着しておく手間が不要となり、適宜の場所にあとからでも随意に追加装着してパイプ同士の連結ができる。また、連結用ネジ孔部は、パイプ同士の連結のほかに、この連結用ネジ孔にボルトをねじ込みその先端で保持パイプ係止して滑り止めを行うこともできる。更に、本発明のパイプ連結支持具は、例えば搬送装置の搬送路脇に設置したパイプ構造の手摺や保護ガードなどに制御用操作盤、スイッチボックス、センサー、ケーブルなどの機器を支持することにも利用可能で、強固で多用途に利用できるといった作用効果がある。そして、単純且つコンパクトな形状であるため、携帯に便利で高所作業に際し多数携帯することが可能で作業上も便利である。
【００２３】
請求項２に係る発明のパイプ連結支持具は、保持部外周の連結用ネジ孔部を外側に膨出させて厚肉に形成するので、連結用ネジ孔の長さが長くなって余裕が生じ、組立時に連結部材（連結ネジ）の両端に取り付ける保持具の互いの間隔の微調整ができ且つ作業性が向上するといった作用効果があるほか、保持部を薄肉構造にしても連結部は強固な構造となり、軽量化できて携帯に便利で且つ安いコストで製造できるといった作用効果がある。
【００２４】
請求項３に係る発明のパイプ連結支持具は、上下１対の保持具のそれぞれの締め付け部に、それぞれ保持部中心から対称位置に締め付け部を上下に貫通する円形孔をそれぞれ同じ位置に設けて構成したので、保持具同士の締め付けはやや長寸の締め付けボルトを挿通してナットで締め付ける。従って、締め付け時にボルト頭部とナットとにそれぞれレンチを掛けて締め付けることにより、保持具に捻れ力を加えずに締め付けることができ、保護管に挿通しないケーブルを支持したり、柔軟な樹脂パイプを支持するなどの場合に適するほか、１対の保持具は全く同じ形状の部材で構成されるので、組み合わせに注意を払わず無作為に選んで取り付けることができるといった作用効果がある。
【図面の簡単な説明】
【図１】本発明に係るパイプ連結支持具の実施例を示し、各構成部材を展開して示す斜視図である。
【図２】本発明に係るパイプ連結支持具の実施例を示し、各構成部材を組み立てた状態でパイプの軸方向から見た正面図である。
【図３】図２のパイプ連結支持具をパイプの軸方向と直交する面に沿って中央で断面にした縦断面図である。
【図４】図２のパイプ連結支持具の平面図である。
【図５】図２のパイプ連結支持具の側面図である。
【図６】本発明に係るパイプ連結支持具の別の実施例を示し、各構成部材を組み立てた状態でパイプの軸方向から見た正面図である。
【図７】本発明に係るパイプ連結支持具を、集合配管の連結支持に用いた適用例を示す図である。
【符号の説明】
１，１ａ  パイプ連結支持具
２，３，３ａ  保持具
４，５  保持部（内周）
６，７  締め付け部
６ａ，７ａ  合わせ面
８，９ａ  円形孔
９  ネジ孔
１１  外周
１３  膨出部
１４  連結用ネジ孔
１５  締め付けボルト
１５ａ  六角ボルト
１５ｂ  ナット
１６  連結部材（寸切ボルト）
１７  ロックナット
１８  パイプ
２０  集合配管
２１  固定金具
２１ａ  ベース板
２１ｂ  ソケット
２２  支持部材
２２ａ  ロッド
２２ｂ  ネジ部
２２ｃ  把持部
２３  支持部材
２３ａ  ロッド
２３ｂ  ネジ部
【図１】
2004293693.tif 000003
【図２】
2004293693.tif 000004
【図３】
2004293693.tif 000005
【図４】
2004293693.tif 000006
【図５】
2004293693.tif 000007
【図６】
2004293693.tif 000008
【図７】
2004293693.tif 000009